(57)【要約】      （修正有）【課題】特に乳液やシャンプーなど、液体のポンプ構造に応用し、該ポンプは押されると気体と液体が混合し、そのため液状のものが泡になる泡発生用のポンプ構造を提供する。【解決手段】液体やシャンプーなどの液体のポンプ構造に応用するものである。該内部には予め空気と液体を混合するチャンバを具有し、ポンプを押して液体を押し出す際、空気と液体が混合して泡を形成し、液体を押し出すと、泡状になる。エアピストンを設置し、入る空気量をコントロールできるほか、変位をして開閉する効果を持つため、逆止弁の役割を果たすバルブを使う必要がなく、コストダウンすることができる。また、ポンプ内部にある弾性部品は液体と接触しないため、弾性部品のサビにより液体成分が影響されることがない。【選択図】図１
0003167339.tif 000002
【実用新案登録請求の範囲】
【請求項１】
ポンプ、外チューブ、上内チューブ、下内チューブ、エアピストン及びスプリングを含み、
該ポンプは出口を具有し、該上内チューブ内部は出口と通じる混合室であり、該下内チューブの内部は混合室と通じる導流室であり、該上内チューブの上端はポンプと組み合わせ、該上内チューブの下端は下内チューブの上端と套合し、
該上内チューブと下内チューブは外チューブと同時に伸縮するように設置し、該上内チューブと下内チューブが套合する位置に、外チューブの内部スペースと混合室及び導流室を通ずる空気の通り道を具有し、該上内チューブは外表面の周りに上リブを形成し、該下内チューブは外表面の周りに下リブを形成し、
該エアピストンは可動式に外チューブの内部に設置し、上内チューブと下内チューブが套合する位置を囲み、該エアピストンは、ポンプが押される前の状態では、空気の通り道を閉鎖し、且つ外部と外チューブの内部空気を導通する導入孔を具有し、ポンプを下向きに押すと、該上リブは変位して導入孔を閉鎖し、同時にエアピストンを押すことで、外チューブ内部の空気を圧縮し、該空気の通り道もまた同時にエアピストンによって閉鎖されていない位置に変位するため、外チューブ内部の空気を混合室に押し込み、
該外チューブは更に内部底辺に下内チューブと伸縮して設置する液体チャンバを具有し、該液体チャンバの一端はボトルの液体内に設置する吸い上げ口があり、該下内チューブの底辺には液体チャンバと導流室を導通する流入口を具有し、且つ該下内チューブの底辺に、液体量をコントロールする液体ピストンを設置し、
該液体チャンバの吸い上げ口に近い位置に、液体ピストンが液体を押す際に、液体が逆流するのを防止するステンレスボールを設置し、
該スプリングは外チューブ内に設置し、下内チューブの上部と抵触するため、ポンプを押した後、元に戻り、
持続してポンプを押すと、液体は導流室から混合室内に入って空気と混ざり、液体がポンプから出るときは、泡となることを特徴とする泡発生用のポンプ構造。
【請求項２】
前記液体ピストンは可動的に液体チャンバに設置し、下内チューブの底辺に位置し、該液体ピストンはポンプが押される前は流入口を塞ぎ、ポンプが押されると、該流入口は液体ピストンによって塞がれていない位置に変位し、且つ該下内チューブは同時に液体ピストンを押し、液体チャンバにある液体を押し出すため、液体は流入口から導流室に流れることを特徴とする請求項１記載の泡発生用のポンプ構造。
【請求項３】
前記上内チューブから出口までの通り道の間に、混合室から出口に押し出される液体を細かく切断する切断層を設置することを特徴とする請求項１記載の泡発生用のポンプ構造。
【請求項４】
前記外チューブの片側に外チューブの内部とボトル内部を導通する換気口を設け、該換気口はポンプが押される前は、エアピストンによって塞がれ、ポンプを下向きに押すと、エアピストンが変位し、該換気口は外チューブ内部及びボトル内部を導通する状態となることを特徴とする請求項１記載の泡発生用のポンプ構造。
【請求項５】
前記ジョイント蓋は上内チューブの外縁と螺合し、外チューブの上方に固定する状態となり、該ジョイント蓋と上内チューブの間に、外部の空気が外チューブの内部に入られる隙間を保留することを特徴とする請求項１記載の泡発生用のポンプ構造。
【請求項６】
前記スプリングは下内チューブ及び液体チャンバの外回りを囲み、一端は下リブと抵触し、別端は外チューブ内部の底面と抵触することを特徴とする請求項１記載の泡発生用のポンプ構造。
【請求項７】
前記ジョイント蓋とポンプの間に組立構造を設置し、該組立構造はジョイント蓋の外径に外ねじ山を形成し、ポンプの底部に外ねじ山と螺合する内ねじ山を形成することを特徴とする請求項５記載の泡発生用のポンプ構造。
【請求項８】
前記ジョイント蓋とポンプの間に組立構造を設置し、該組立構造はジョイント蓋の中心に上内チューブの周りを囲む内ねじ山を形成し、ポンプの底部に内ねじ山と螺合する外ねじ山を形成することを特徴とする請求項５記載の泡発生用のポンプ構造。
【請求項９】
前記ジョイント蓋と外チューブの間にジョイント部品があり、該ジョイント部品の内側にボトルと螺合できるねじ山を形成することを特徴とする請求項５記載の泡発生用のポンプ構造。
【請求項１０】
前記ジョイント蓋は第一抵触リブを具有し、該第一抵触リブは外チューブの内部に入り、上リブと抵触することで、上内チューブの最大変位を制限し、該ジョイント蓋は別途第二抵触リブを具有し、該第二抵触リブは外チューブに内部に進入し、エアピストンと抵触することで、エアピストンの最大変位を制限することを特徴とする請求項５記載の泡発生用のポンプ構造。
【請求項１１】
前記下リブの外回りは下向きに、スプリングが外れないためのガードリングを延伸し、スプリングが安定して抵触する役割を持つことを特徴とする請求項６記載の泡発生用のポンプ構造。
【考案の詳細な説明】
【技術分野】
【０００１】
本考案は泡発生用のポンプ構造に関し、特に乳液やシャンプーなど、液体のポンプ構造に応用し、且つ該ポンプは押されると気体と液体が混合し、そのため液状のものが泡になる泡発生用のポンプ構造に関する。
【背景技術】
【０００２】
中華民国の特許申請案第０９５１２７４８３号の「噴出容器」に含まれる容器本体は、ノズルより内容液を噴出するポンプ及び蓋を設置する。前記噴出ポンプに含まれるのはシリンダー部品及びピストン部品、ノズルであり、該シリンダー部品は大径シリンダー及び吸い上げパイプを設置する小径シリンダーを含む。前記シリンダー部品にピストン部品及びノズルを設置する。前記ピストン部品に含まれるのは、前記小径シリンダー内に位置するピストンと、前記ピストンと掛合するポペットバルブ、前記ピストンの上方と係合するピストン導引部品である。該エアピストンに含まれるのは上述のピストン導引部品の外周と係合する中間筒部、還気孔を具有する上壁部及び自在にスライドし、前記大径シリンダー内を滑動するシリンダー、且つ前記大径シリンダー内に形成するエアチャンバである。エアピストンは前記中間筒部の下部外周と掛合し、前記エアピストンの還気孔を開閉する。棒は前記ピストン導引部品の上部と掛合し、前記ピストン導引部品の上部内側にボールバルブの気体液体混合室を形成し、且つ、前記の中間筒部の上部筒と掛合する下部筒及び、上部の内側に設置するメッシュリングを具有する。前記棒の外側にノズルを設置する。
【０００３】
従来技術の噴出容器は、液体容器に応用するものであり、エアピストンが容器本体内部に入る空気の量をコントロールし、及び液体ピストンが容器本体内部に入る液体の量をコントロールし、空気と液体が予め容器本体の内部にて混合することで、押されて出てくる液体が泡状となる。しかし、前記の噴出容器は、エアピストンが容器本体内部に入る空気をコントロールする際、補助としてエアピストバルブがエアピストンの開閉をする必要があり、実施するうえでは余分な構造部品であり、容器の製造コストを増やすことになるため、更なる改善が必要であった。
【先行技術文献】
【特許文献】
【０００４】
【特許文献１】中華民国特許申請案第０９５１２７４８３号明細書
【考案の概要】
【考案が解決しようとする課題】
【０００５】
前記公知構造の欠点を解決するため、本考案は泡発生用のポンプ構造を提供することを主な課題とする。本考案は乳液、シャンプーなどの液体ポンプに応用できる構造である。該ポンプを押す際に、気体と液体が混合する効果を具有することで、液体を押し出すと泡状になる。特に本考案では、入る気体の量をコントロールするエアピストンは、変位をするために開閉の効果を持つため、逆止弁の役割を果たすバルブを使う必要がない。また、ポンプ内部のスプリングは液体と接触しないため、スプリングが錆びて液体成分に影響を及ぼすことがない。
【課題を解決するための手段】
【０００６】
上述の目的を解決するために、本考案は泡発生用のポンプ構造を提供するものであり、それに含まれるのはポンプ、外チューブ、上内チューブ、下内チューブ、エアピストン及びスプリングである。該ポンプは出口を具有し、該上内チューブ内部は出口と通じる混合室であり、該下内チューブの内部は混合室と通じる導流室であり、該上内チューブの上端はポンプと組み合わせ、該上内チューブの下端は下内チューブの上端と套合する。また、該上内チューブと下内チューブは外チューブと同時に伸縮するように設置し、該上内チューブと下内チューブが套合する位置に、外チューブの内部スペースと混合室及び導流室を通ずる空気の通り道を具有し、該上内チューブは外表面の周りに上リブを形成し、該下内チューブは外表面の周りに下リブを形成する。
【０００７】
該エアピストンは可動式に外チューブの内部に設置し、上内チューブと下内チューブが套合する位置を囲む。該エアピストンは、ポンプが押される前の状態では、空気の通り道を閉鎖し、且つ外部と外チューブの内部空気を導通する導入孔を具有する。ポンプを下向きに押すと、該上リブは変位して導入孔を閉鎖し、同時にエアピストンを押すことで、外チューブ内部の空気を圧縮する。該空気の通り道もまた同時にエアピストンによって閉鎖されていない位置に変位するため、外チューブ内部の空気を混合室に押し込む。
【０００８】
該外チューブは更に内部底辺に下内チューブと伸縮して設置する液体チャンバを具有し、該液体チャンバの一端はボトルの液体内に設置する吸い上げ口があり、該下内チューブの底辺には液体チャンバと導流室を導通する流入口を具有し、且つ該下内チューブの底辺に、液体量をコントロールする液体ピストンを設置する。また、該液体チャンバの吸い上げ口に近い位置に、液体ピストンが液体を押す際に、液体が逆流するのを防止するステンレスボールを設置する。
【０００９】
該スプリングは外チューブ内に設置し、下内チューブの上部と抵触するため、ポンプを押した後、元に戻る。
【００１０】
持続してポンプを押すと、液体は導流室から混合室内に入って空気と混ざり、液体がポンプから出るときは泡となる。
【００１１】
該液体ピストンは可動的に液体チャンバに設置し、下内チューブの底辺に位置する。該液体ピストンはポンプが押される前は流入口を塞ぎ、ポンプが押されると、該流入口は液体ピストンによって塞がれていない位置に変位し、且つ該下内チューブは同時に液体ピストンを押し、液体チャンバにある液体を押し出すため、液体は流入口から導流室に流れる。
【００１２】
該上内チューブから出口までの通り道の間に、混合室から出口に押し出される液体を細かく切断する切断層を設置する。
【００１３】
該上内チューブの内部は、混合室と導流室の間に、内リブを形成し、且つ該内リブはやや下向きに傾斜している形状である。該空気の通り道が混合室及び導流室に入る入り口は、内リブの下縁に位置する。
【００１４】
前記泡発生用のポンプ構造はジョイント蓋を含み、該ジョイント蓋は上内チューブの外縁と螺合し、外チューブの上方に固定する状態となる。また、該ジョイント蓋と上内チューブの間に、外部の空気が外チューブの内部に入られる隙間を保留する。該ジョイント蓋は第一抵触リブを具有し、該第一抵触リブは外チューブの内部に入り、上リブと抵触することで、上内チューブの最大変位を制限する。該ジョイント蓋は別途第二抵触リブを具有し、該第二抵触リブは外チューブに内部に進入し、エアピストンと抵触することで、エアピストンの最大変位を制限する。
【００１５】
該スプリングは下内チューブ及び液体チャンバの外回りを囲み、一端は下リブと抵触し、別端は外チューブ内部の底面と抵触する。
【００１６】
該下リブの外回りは下向きに、スプリングが外れないためのガードリングを延伸し、スプリングが安定して抵触する役割を持つ。
【００１７】
該外チューブの片側に外チューブの内部とボトル内部を導通する換気口を設け、該換気口はポンプが押される前は、エアピストンによって塞がれ、ポンプを下向きに押すと、エアピストンが変位し、該換気口は外チューブ内部及びボトル内部を導通する状態となる。
【００１８】
該ジョイント蓋と外チューブの間にジョイント部品があり、該ジョイント部品の内側にボトルと螺合できるねじ山を形成する。
【００１９】
該ジョイント蓋とポンプの間に組立構造を設置し、該組立構造の第一実施例は、ジョイント蓋の外径に外ねじ山を形成し、ポンプの底部に外ねじ山と螺合する内ねじ山を形成する。該組立構造の第二実施例は、ジョイント蓋の中心に上内チューブの周りを囲む内ねじ山を形成し、ポンプの底部に内ねじ山と螺合する外ねじ山を形成する。
【考案の効果】
【００２０】
本考案はエアピストンを設置し、入る空気量をコントロールできるほか、変位をして開閉する効果を持つため、逆止弁の役割を果たすバルブを使う必要がなく、コストダウンすることができる。また、ポンプ内部にある弾性部品は液体と接触しないため、弾性部品のサビにより液体成分が影響されることがない。
【図面の簡単な説明】
【００２１】
【図１】本考案の泡発生用のポンプ構造の立体分解略図である。
【図２】本考案のエアピストンの立体略図である。
【図３】本考案のエアピストンの俯瞰略図である。
【図４】図３のＡ−Ａ線の断面略図である。
【図５】本考案の泡発生用ポンプの構造を、液体ボトルに設置した実施略図である。
【図６】本考案のポンプ組立状態の断面略図である。
【図７】本考案のポンプを押す前の状態の断面略図である。
【図８】本考案のポンプを押す時の断面略図である。
【図９】本考案のポンプを押した後、元の状態に戻る断面略図である。
【図１０】本考案の第二実施例の外観立体略図である。
【図１１】本考案の第二実施例の組み立てた状態の断面略図である。
【図１２】本考案の第二実施例のポンプを押す前の状態の断面略図である。
【考案を実施するための形態】
【００２２】
本考案は泡発生用のポンプ構造であり、乳液やシャンプーなどの液体を押し出すポンプ構造に応用する。また、該ポンプ構造を押すと、気体と液体が混合するため、液体を押し出すと泡状になる。特に本考案の気体の量をコントロールするエアピストンは、変位することで開閉するため、バルブを用いて逆止弁の効果を得る必要がない。また、ポンプ内部にある弾性部品は液体と接触しないため、弾性部品のサビにより液体成分が影響されることがない。図１から図９に示すように、本考案の「泡発生用のポンプ構造」に含まれるのはポンプ１、外チューブ２、上内チューブ３、下内チューブ４、エアピストン５、液体ピストン６、ジョイント蓋７及びスプリング８である。
【実施例】
【００２３】
該ポンプ１は出口１１を具有し、該上内チューブ３内部は出口１１と通じる混合室３１であり、該下内チューブ４の内部は混合室３１と通じる導流室４１であり、該上内チューブ３の上端はポンプ１と組み合わせ、該上内チューブ３の下端は下内チューブ４の上端と套合する。また、該上内チューブ３と下内チューブ４は外チューブ２と同時に伸縮するように設置し、該上内チューブ３と下内チューブ４が套合する位置に、外チューブ２の内部スペースと混合室３１及び導流室４１を通ずる空気の通り道３２を具有し、該上内チューブ３は外表面の周りに上リブ３３を形成し、該下内チューブ４は外表面の周りに下リブ４２を形成する。
【００２４】
該エアピストン５は可動式に外チューブ２の内部に設置し、上内チューブ３と下内チューブ４が套合する位置を囲む。該エアピストン５は、ポンプ１が押される前の状態では、空気の通り道３２を閉鎖する。また、該エアピストン５は、ポンプ１が押される前の状態では、外部と外チューブ２の内部空気を導通する導入孔５１を具有する。ポンプ１を下向きに押すと、該上リブ３３は変位して導入孔５１を閉鎖し、同時にエアピストン５を押すことで、外チューブ２内部の空気を圧縮する。該空気の通り道３２もまた同時にエアピストン５によって閉鎖されていない位置に変位するため、外チューブ２内部の空気を混合室３１に押し込む。
【００２５】
該外チューブ２は更に内部底辺に下内チューブ４と伸縮して設置する液体チャンバ２１を具有し、該液体チャンバ２１の一端はボトルの液体内に設置する吸い上げ口２１１があり、該下内チューブ４の底辺には液体チャンバ２１と導流室４１を導通する流入口４３を具有する。該液体ピストン６は可動的に液体チャンバ２１に設置し、下内チューブ４の底辺に位置する。該液体ピストン６はポンプ１が押される前は流入口４３を塞ぎ、ポンプ１が押されると、該流入口４３は液体ピストン６によって塞がれていない位置に変位し、且つ該下内チューブ４は同時に液体ピストン６を押し、液体チャンバ２１にある液体を押し出すため、液体は流入口４３から導流室４１に流れる。また、該液体チャンバ２１は吸い上げ口２１１に近い位置に、液体ピストン６によって押し出された液体が逆流するのを防止するステンレスボール２１２を設置する。該外チューブ２の片側に外チューブ２の内部とボトル内部を導通する換気口２２を設け、該換気口２２はポンプ１が押される前は、エアピストン５によって塞がれ、ポンプ１を下向きに押すと、エアピストン５が変位し、該換気口２２は外チューブ２内部及びボトル内部を導通する状態となり、ボトル内部と換気を行うため、ボトルは液体を押し出すことにより収縮しない。
【００２６】
該上内チューブ３の内部は、混合室３１と導流室４１の間に、内リブ３４を形成し、且つ該内リブ３４はやや下向きに傾斜している形状である。該空気の通り道３２が混合室３１及び導流室４１に入る入り口は、内リブ３４の下縁に位置する。
【００２７】
該スプリング８は外チューブ２内に設置し、下内チューブ４の上部と抵触するため、ポンプ１を押した後、元に戻る。該スプリング８は下内チューブ４及び液体チャンバ２１の外回りを囲み、一端は下リブ４２と抵触し、別端は外チューブ２内部の底面と抵触する。該下リブ４２の外回りは下向きに、スプリング８が外れないためのガードリング４２１を延伸し、スプリング８が安定して抵触する役割を持つ。
【００２８】
該ジョイント蓋７は上内チューブ３の外縁と螺合し、外チューブ２の上方に固定する状態となる。また、該ジョイント蓋７と上内チューブ３の間に、外部の空気が外チューブ２の内部に入られる隙間を保留する。該ジョイント蓋７と外チューブ２の間にジョイント部品７１があり、該ジョイント部品７１の内側にボトルと螺合できるねじ山７１１を形成する。
【産業上の利用可能性】
【００２９】
該ジョイント蓋７とポンプ１の間に組立構造９を設置し、該組立構造９はジョイント蓋７の中心に上内チューブ３の周りを囲む内ねじ山９１を形成し、ポンプ１の底部に内ねじ山と螺合する外ねじ山９２を形成する。該組立構造９は、商品販売時にポンプ１がジョイント蓋７と螺合した状態にするためのものであり、ボトル全体の高さを低くしてスペースを節約できる。
【００３０】
持続してポンプ１を押すと、液体は導流室４１から混合室３１内に入って空気と混ざり、液体がポンプ１から出るときは泡となる。該詳細の動作略図は図４から図６に示す通りである。図７に示すように、ポンプ１が押される前は、外部空気はジョイント蓋７と上内チューブ３の間にある隙間と導入孔５１から外チューブ２の内部に入る。ポンプ１を下向きに押すと、上リブ３３は変位して導入孔５１を塞ぎ、同時にエアピストン５を押すことで、外チューブ２内部にある空気を圧縮する。該空気の通り道３２もまた変位し、エアピストン５によって塞がれていない位置に移動するため、外チューブ２内部の空気は混合室３１に押し入られる。また、下内チューブ４の流入口４３は液体ピストン６によって塞がれていない位置に変位し、且つ該下内チューブ４は同時に液体ピストン６を押し、液体チャンバ２１内の液体を押し出すため、該液体は流入口４３から持続して導流室４１に入る。また、前回のポンプを押す過程で導流室４１に入っていた液体は引き続き混合室３１に押し出されて空気と混合し、最後に出口１１から押し出される(図８を参照)。ポンプ１が圧力を失って、次第に元の状態に戻る際、該スプリング８は同時に下内チューブ４を押し、上内チューブ３及びポンプ１は上昇して元の位置に戻る。エアピストン５は変位し、空気の通り道３２を封鎖し、導入孔５１を開放する位置に戻り、外部の空気が引き続き外チューブ２の内部に入って換気することができる。液体ピストン６もまた流入口４３を封鎖する位置に戻り、スプリング８の元に戻る力により、次に使用される液体を液体チャンバ２１にまで吸い上げる(図９を参照)
【００３１】
図８に示すように、本考案のポンプ１を押す際、該エアピストン５に押されて空気の通り道３２に入った空気は、上内チューブ３と下内チューブ４の内部に入って液体と混合する前に、まず内リブ３４の傾斜に導かれて、上に押し入る液体と正面からぶつかるため、ベストな混合効果を得ることができる。
【００３２】
図６に示すように、押された液体がクリーミーな泡となるためには、該上内チューブ３から出口１１までの通り道の間に、混合室３１から出口１１に押し出される液体を細かく切断する切断層１２を設置することで、液体と空気を混ぜ合わせてから押し出されると、よりクリーミーな泡となる。該切断層１２は生地など、細かい隙間の材質を具有するものを用いる。
【００３３】
図１１から図１２に示すのは、組み立て構造第二実施例である。該組立構造９Ａはジョイント蓋７の外径に外ねじ山９１Ａを形成し、ポンプ１の底部に該外ねじ山９１Ａと螺合できる内ねじ山９２Ａを設置する。外ねじ山９１Ａと内ねじ山９２Ａが相互に螺合するため、泡発生用ポンプが組み立てた状態となる。また、該ジョイント蓋７は第一抵触リブ７２を具有し、該第一抵触リブ７２は外チューブ２の内部に入り、上リブ３３と抵触することで、上内チューブ３の最大変位を制限する。該ジョイント蓋７は別途第二抵触リブ７３を具有し、該第二抵触リブ７３は外チューブ２に内部に進入し、エアピストン５と抵触することで、エアピストン５の最大変位を制限する。
【００３４】
前記記述で分かるように、本考案の「泡発生用のポンプ構造」の内部は、進出する空気量をコントロールするエアピストン５は、上内チューブ３に押されるのにつれ、開く或いは閉鎖することができ、別途バルブを使ってコントロールする必要がないため、コストを節約することができる。また、本考案内部のスプリング８は液体と接触する液体チャンバ２１、導流室４１或いは混合室３１などに設置せず、液体と接触しないため、スプリング８が液体の影響で弾性力が悪くなる、或いは金属製のスプリング８が液体の成分に影響を与えるのを避けることができる。
【符号の説明】
【００３５】
１、 ポンプ
１１、出口
１２、切断層
２、外チューブ
２１、液体チャンバ
２２、換気口
２１１、吸い上げ口
２１２、ステンレスボール
３、上内チューブ
３１、混合室
３２、空気の通り道
３３、上リブ
３４、内リブ
４、下内チューブ
４１、導流室
４２、下リブ
４２１、ガードリング
４３、流入口
５、エアピストン
５１、導入孔
６、液体ピストン
７、ジョイント蓋
７１、ジョイント部品
７１１、ねじ山
７２、第一抵触リブ
７３、第二抵触リブ
８、スプリング
９、組立構造
９１、内ねじ山
９２、外ねじ山
９Ａ、組立構造
９１Ａ、外ねじ山
９２Ａ、内ねじ山
【図１】
0003167339.tif 000003
【図２】
0003167339.tif 000004
【図３】
0003167339.tif 000005
【図４】
0003167339.tif 000006
【図５】
0003167339.tif 000007
【図６】
0003167339.tif 000008
【図７】
0003167339.tif 000009
【図８】
0003167339.tif 000010
【図９】
0003167339.tif 000011
【図１０】
0003167339.tif 000012
【図１１】
0003167339.tif 000013
【図１２】
0003167339.tif 000014